(57)【要約】      （修正有）【課題】一人で解氷作業ができ、高度な技術や熟練を要しないため省力化に富み、なおかつ経済的な設備で凍結配管の解氷方法を提供する。【解決手段】気体の通り道に相当する空洞部（１）をもうけた保温材（７）と、温風を送り込む装置（２）で構成された凍結配管の解氷方法。及び、気体の通り道に相当する空洞部（１）がチューブホース（６）と、温風を送り込む装置（２）で構成された凍結配管の解氷方法。【選択図】図１
0003129096.tif 000002
【実用新案登録請求の範囲】
【請求項１】
気体の通り道に相当する空洞部（１）をもうけた保温材（７）と、温風を送り込む装置（２）で構成された凍結配管の解氷方法。
【請求項２】
気体の通り道に相当する空洞部（１）がチューブホース（６）と、温風を送り込む装置（２）で構成された凍結配管の解氷方法。
【考案の詳細な説明】
【考案の詳細な説明】
【産業上の利用分野】
【０００１】  本考案は凍結した配管内部の液体の融解を促すために、気体の通り道を設けた保温材、及び、チューブホースにより気体及び液体の通り道を確保した保温と、温風を送り込む装置に関するものである。
【背景技術】
【０００２】  従来、配管の保温は配管に隙間無く密着し包み込むように施工されていた。
配管内部の液体が凍結しないように凍結防止用電熱ヒーターを設けていたが、凍結してしまった場合に於いて、配管材料が金属の場合、保温材をはがし電気による導通により発熱を促し解氷をしていた。  又、樹脂管の場合電気による導通を得ないため器具を取り外し蒸気による解氷作業がなされていた。
【考案が解決しようとする課題】
【０００３】  現在、凍結防止用電熱ヒーターを配管にそわせ、その発熱で凍結防止をする方法が広く一般的に行われているが、経年により有効な発熱が得られなかったり故障したり電源を入れ忘れて凍結する事例が特に多い。  鋼管や銅管など金属管であれば電気により両端を導通させ発熱により解氷を促すが、途中絶縁がなされていると導通が無く解氷ができない事と、解氷作業による加熱により火災に至る事例が数多く報告され、高度な技術や熟練が必要となる。  又、直接金属管に電気を導通しなければならないため保温をはがし解氷確認後再度保温を施工しなければならなかった。  樹脂管による配管では、凍結防止用電熱ヒーターによる凍結防止は不可欠であるが、凍結してしまった配管の解氷には器具をはずして配管内を蒸気による解氷をしながら蒸気ノズルを差し込み進むことで解氷をするが、分岐や曲がりなどで差し込み進めず解氷できない。  建物内の壁内や天井裏など隠ぺい部分の解氷は特に取り壊しや復旧施工が必要となり費用負担も高額なものとなる傾向が大きい。  凍結防止用電熱ヒーターによる凍結防止を行わない配管の場合もあり、長距離にわたる屋外配管などは水抜きの設備を設けても配管内のいずれかに凍結をきたす場合が多く解氷ができずに気候が温暖になるまで使用が出来ない設備が多い。  又、保温外装にステンレスや鉄板等金属により保護化粧を施すことが多く、建物の鉄骨や鉄板に触れていると、電気による導通を配管に有効に伝えることが出来ず、解氷が出来ないことが多い。  屋外においての解氷は、保温をはずして温水をかけることもあるが解氷後保温を施工し直さなければならないし、保温材の上から温水をかけた場合保温材により熱が配管に伝わりにくいばかりでなく付着水の氷結にもつながり保温材内部に水分が進入すると保温効果を著しく失うこととなる。屋内に於いては温水をかけることは困難であることや、建物の床下や壁中、天井裏を暖めても配管に施されている保温材により、有効に管材に熱が伝わらないため長い時間を要する。  解氷をするには、保温の再施工や建物の壁、床、天井の復旧など数々の問題点を有していた。
本考案は、従来の技術の有するこれらの問題点を解決するために考案されたものである。
【課題を解決するための手段】
【０００４】保温材（７）に気体の通り道に相当する空洞部（１）をもうける。
気体の通り道に相当する空洞部（１）に通じる温風送り込み口（２）をもうけ、差し込みガイド（３）及び防護キャップ（４）にて送り込み口を保護する。
温風を送り込む装置（５）にて気体の通り道に相当する空洞部（１）に温風を送り込み配管に熱を伝え解氷を促す。
以上の構成からなる凍結配管の解氷方法。
【作用】
【０００５】  保温材（７）の温風送り込み口（２）の防護キャップ（４）をはずし、温風を送り込む装置（５）のノズルを差し込み温風を送る。  送り込まれた温風が保温材（７）の気体の通り道に相当する空洞部（１）を通り解放末端より放出される。
気体の通り道に相当する空洞部（１）に沿って配管内部の凍結部分が解氷され通り道が出来ることにより解氷を促す。  解氷を確認後、防護キャップ（４）をはめ込む。保温をはずすことなく解氷が出来る。
【実施例】
【０００６】  以下、本考案の実施例について説明する。
図１において、保温材（７）に気体の通り道に相当する空洞部（１）をもうける。  気体の通り道に相当する空洞部（１）に通じる温風送り込み口（２）をもうける。  温風送り込み口（２）を保護するため差し込みガイド（３）をもうけ温風を送り込む装置（５）のノズルを差し込むためのガイドとする。  防護キャップ（４）にて送り込み口に栓をして温風送り込み口を保護する。  本考案は以上のような構造で、これを使用する場合、保温材（７）に気体の通り道に相当する空洞部（１）をもうけた保温材（７）により配管（ａ）の保温を施しておく。  防護キャップ（４）をはずし、温風を送り込む装置（５）のノズルを差し込み温風を送る。  送り込まれた温風が保温材（７）の気体の通り道に相当する空洞部（１）を通り解放末端より放出される。  気体の通り道に相当する空洞部（１）沿って配管内部の凍結部分が解氷され通り道が出来ることにより解氷を促す。  解氷を確認後、防護キャップ（４）をはめ込む。  保温をはずすことなく解氷が出来る。  図３において充分な保温が施工困難な場合においてホースを配管に抱きかかえるように沿わせることにより温風の通り道を確保し解氷を促すことも出来る。  ホースにて施工を行った場合に於いて温水又は蒸気を通すことにより解氷を促すことも出来る。
【考案の効果】
【０００７】  本考案は、上述のとおり構成されているので、設備や建築物の機能を損なわないまま凍結配管の解氷が容易に行うことが出来、軽くて作業性に富み、単体での使用に適しているために１人での作業が容易であり省力化が期待できる。また、作業が単純であるため難易度が低く、各家庭や各施設での解氷作業を各個人が試みることも出来る。  電流による加熱、火気や蒸気や熱水などを使用しないのでやけどの心配もなく作業を安全かつ正確に行うことができる。
【図面の簡単な説明】
【図１】本考案の断面図
【図２】本考案の分解断面図
【図３】本考案の断面図
【図４】本考案の分解断面図
【符号の説明】
ａ  配管
ｂ  建物内壁
ｃ  建物外壁
ｄ  切り込み砕石
ｅ  水栓
ｆ  凍結防止用電熱ヒーター
１  気体の通り道に相当する空洞部
２  温風送り込み口
３  差し込みガイド
４  保護キャップ
５  温風を送り込む装置
６  チューブホース
７  保温材
【図１】
0003129096.tif 000003
【図２】
0003129096.tif 000004
【図３】
0003129096.tif 000005
【図４】
0003129096.tif 000006
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
気体の通り道に相当する空洞部（１）をもうけた保温材（７）と、差し込みガイド（３）と、保護キャップ（４）で構成された温風解氷配管保温材。
【請求項２】
気体の通り道に相当する空洞部（１）がチューブホース（６）で構成された温風解氷配管保温材。
【手続補正２】
【補正対象書類名】明細書
【補正対象項目名】全文
【補正方法】変更
【補正の内容】
【考案の詳細な説明】
【技術分野】
【０００１】  本考案は凍結した配管内部の液体の融解を促すために、気体の通り道を設けた保温材、及び、チューブホースにより気体及び液体の通り道を確保した保温材に関するものである。
【背景技術】
【０００２】  従来、配管の保温は配管に隙間無く密着し包み込むように施工されていた。  配管内部の液体が凍結しないように凍結防止用電熱ヒーターを設けていたが、凍結してしまった場合に於いて、配管材料が金属の場合、保温材をはがし電気による導通により発熱を促し解氷をしていた。  又、樹脂管の場合電気による導通を得ないため器具を取り外し蒸気による解氷作業がなされていた。
【考案の開示】
【０００３】  現在、凍結防止用電熱ヒーターを配管にそわせ、その発熱で凍結防止をする方法が広く一般的に行われているが、経年により有効な発熱が得られなかったり故障したり電源を入れ忘れて凍結する事例が特に多い。  鋼管や銅管など金属管であれば電気により両端を導通させ発熱により解氷を促すが、途中絶縁がなされていると導通が無く解氷ができない事と、解氷作業による加熱により火災に至る事例が数多く報告され、高度な技術や熟練が必要となる。  又、直接金属管に電気を導通しなければならないため保温をはがし解氷確認後再度保温を施工しなければならなかった。  樹脂管による配管では、凍結防止用電熱ヒーターによる凍結防止は不可欠であるが、凍結してしまった配管の解氷には器具をはずして配管内を蒸気による解氷をしながら蒸気ノズルを差し込み進むことで解氷をするが、分岐や曲がりなどで差し込み進めず解氷できない。  建物内の壁内や天井裏など隠ぺい部分の解氷は特に取り壊しや復旧施工が必要となり費用負担も高額なものとなる傾向が大きい。  凍結防止用電熱ヒーターによる凍結防止を行わない配管の場合もあり、長距離にわたる屋外配管などは水抜きの設備を設けても配管内のいずれかに凍結をきたす場合が多く解氷ができずに気候が温暖になるまで使用が出来ない設備が多い。  又、保温外装にステンレスや鉄板等金属により保護化粧を施すことが多く、建物の鉄骨や鉄板に触れていると、電気による導通を配管に有効に伝えることが出来ず、解氷が出来ないことが多い。  屋外においての解氷は、保温をはずして温水をかけることもあるが解氷後保温を施工し直さなければならないし、保温材の上から温水をかけた場合保温材により熱が配管に伝わりにくいばかりでなく付着水の氷結にもつながり保温材内部に水分が道入すると保温効果を著しく失うこととなる。屋内に於いては温水をかけることは困難であることや、建物の床下や壁中、天井裏を暖めても配管に施されている保温材により、有効に管材に熱が伝わらないため長い時間を要する。  解氷をするには、保温の再施工や建物の壁、床、天井の復旧など数々の問題点を有していた。
本考案は、従来の技術の有するこれらの問題点を解決するために考案されたものである。
【課題を解決するための手段】
【０００４】保温材（７）に気体の通り道に相当する空洞部（１）をもうける。
気体の通り道に相当する空洞部（１）に通じる温風送り込み口（２）をもうけ、差し込みガイド（３）及び防護キャップ（４）にて送り込み口を保護する。
以上の構成からなる温風解氷配管保温材。
温風を送り込む装置（５）にて気体の通り道に相当する空洞部（１）に温風を送り込み配管に熱を伝え解氷を促す。
【考案の効果】
【０００５】  本考案は、上述のとおり構成されているので、設備や建築物の機能を損なわないまま凍結配管の解氷が容易に行うことが出来、軽くて作業性に富み、単体での使用に適しているために１人での作業が容易であり省力化が期待できる。また、作業が単純であるため難易度が低く、各家庭や各施設での解氷作業を各個人が試みることも出来る。  電流による加熱、火気や蒸気や熱水などを使用しないのでやけどの心配もなく作業を安全かつ正確に行うことができる。
【考案を実施するための最良の形態】
【０００６】  保温材（７）の温風送り込み口（２）の防護キャップ（４）をはずし、温風を送り込む装置（５）のノズルを差し込み温風を送る。  送り込まれた温風が保温材（７）の気体の通り道に相当する空洞部（１）を通り解放末端より放出される。  気体の通り道に相当する空洞部（１）に沿って配管内部の凍結部分が解氷され通り道が出来ることにより解氷を促す。  解氷を確認後、防護キャップ（４）をはめ込む。保温をはずすことなく解氷が出来る。
【実施例】
【０００７】  以下、本考案の実施例について説明する。
図１において、保温材（７）に気体の通り道に相当する空洞部（１）をもうける。  気体の通り道に相当する空洞部（１）に通じる温風送り込み口（２）をもうける。  温風送り込み口（２）を保護するため差し込みガイド（３）をもうけ温風を送り込む装置（５）のノズルを差し込むためのガイドとする。  防護キャップ（４）にて送り込み口に栓をして温風送り込み口を保護する。  本考案は以上のような構造で、これを使用する場合、保温材（７）に気体の通り道に相当する空洞部（１）をもうけた保温材（７）により配管（ａ）の保温を施しておく。  防護キャップ（４）をはずし、温風を送り込む装置（５）のノズルを差し込み温風を送る。  送り込まれた温風が保温材（７）の気体の通り道に相当する空洞部（１）を通り解放末端より放出される。  気体の通り道に相当する空洞部（１）沿って配管内部の凍結部分が解氷され通り道が出来ることにより解氷を促す。  解氷を確認後、防護キャップ（４）をはめ込む。  保温をはずすことなく解氷が出来る。  図３において充分な保温が施工困難な場合においてホースを配管に抱きかかえるように沿わせることにより温風の通り道を確保し解氷を促すことも出来る。  ホースにて施工を行った場合に於いて温水又は蒸気を通すことにより解氷を促すことも出来る。
【図面の簡単な説明】
【０００８】
【図１】  本考案の断面図
【図２】  本考案の分解断面図
【図３】  本考案の断面図
【図４】  本考案の分解断面図
【符号の説明】
【０００９】  ａ  配管
ｂ  建物内壁
ｃ  建物外壁
ｄ  切り込み砕石
ｅ  水栓
ｆ  凍結防止用電熱ヒーター
１  気体の通り道に相当する空洞部
２  温風送り込み口
３  差し込みガイド
４  保護キャップ
５  温風を送り込む装置
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
気体の通り道に相当する空洞部（１）をもうけた保温材（７）と、差し込みガイド（３）と、保護キャップ（４）で構成された温風解氷配管保温材。
【手続補正２】
【補正対象書類名】明細書
【補正対象項目名】全文
【補正方法】変更
【補正の内容】
【考案の詳細な説明】
【技術分野】
【０００１】  本考案は凍結した配管内部の液体の融解を促すために、気体の通り道を設けた保温材、及び、チューブホースにより気体及び液体の通り道を確保した保温材に関するものである。
【背景技術】
【０００２】  従来、配管の保温は配管に隙間無く密着し包み込むように施工されていた。  配管内部の液体が凍結しないように凍結防止用電熱ヒーターを設けていたが、凍結してしまった場合に於いて、配管材料が金属の場合、保温材をはがし電気による導通により発熱を促し解氷をしていた。  又、樹脂管の場合電気による導通を得ないため器具を取り外し蒸気による解氷作業がなされていた。
【考案の開示】
【０００３】  現在、凍結防止用電熱ヒーターを配管にそわせ、その発熱で凍結防止をする方法が広く一般的に行われているが、経年により有効な発熱が得られなかったり故障したり電源を入れ忘れて凍結する事例が特に多い。  鋼管や銅管など金属管であれば電気により両端を導通させ発熱により解氷を促すが、途中絶縁がなされていると導通が無く解氷ができない事と、解氷作業による加熱により火災に至る事例が数多く報告され、高度な技術や熟練が必要となる。  又、直接金属管に電気を導通しなければならないため保温をはがし解氷確認後再度保温を施工しなければならなかった。  樹脂管による配管では、凍結防止用電熱ヒーターによる凍結防止は不可欠であるが、凍結してしまった配管の解氷には器具をはずして配管内を蒸気による解氷をしながら蒸気ノズルを差し込み進むことで解氷をするが、分岐や曲がりなどで差し込み進めず解氷できない。  建物内の壁内や天井裏など隠ぺい部分の解氷は特に取り壊しや復旧施工が必要となり費用負担も高額なものとなる傾向が大きい。  凍結防止用電熱ヒーターによる凍結防止を行わない配管の場合もあり、長距離にわたる屋外配管などは水抜きの設備を設けても配管内のいずれかに凍結をきたす場合が多く解氷ができずに気候が温暖になるまで使用が出来ない設備が多い。  又、保温外装にステンレスや鉄板等金属により保護化粧を施すことが多く、建物の鉄骨や鉄板に触れていると、電気による導通を配管に有効に伝えることが出来ず、解氷が出来ないことが多い。  屋外においての解氷は、保温をはずして温水をかけることもあるが解氷後保温を施工し直さなければならないし、保温材の上から温水をかけた場合保温材により熱が配管に伝わりにくいばかりでなく付着水の氷結にもつながり保温材内部に水分が進入すると保温効果を著しく失うこととなる。屋内に於いては温水をかけることは困難であることや、建物の床下や壁中、天井裏を暖めても配管に施されている保温材により、有効に管材に熱が伝わらないため長い時間を要する。  解氷をするには、保温の再施工や建物の壁、床、天井の復旧など数々の問題点を有していた。
本考案は、従来の技術の有するこれらの問題点を解決するために考案されたものである。
【課題を解決するための手段】
【０００４】保温材（７）に気体の通り道に相当する空洞部（１）をもうける。
気体の通り道に相当する空洞部（１）に通じる温風送り込み口（２）をもうけ、差し込みガイド（３）及び防護キャップ（４）にて送り込み口を保護する。
以上の構成からなる温風解氷配管保温材。
温風を送り込む装置（５）にて気体の通り道に相当する空洞部（１）に温風を送り込み配管に熱を伝え解氷を促す。
【考案の効果】
【０００５】  本考案は、上述のとおり構成されているので、設備や建築物の機能を損なわないまま凍結配管の解氷が容易に行うことが出来、軽くて作業性に富み、単体での使用に適しているために１人での作業が容易であり省力化が期待できる。また、作業が単純であるため難易度が低く、各家庭や各施設での解氷作業を各個人が試みることも出来る。  電流による加熱、火気や蒸気や熱水などを使用しないのでやけどの心配もなく作業を安全かつ正確に行うことができる。
【考案を実施するための最良の形態】
【０００６】  保温材（７）の温風送り込み口（２）の防護キャップ（４）をはずし、温風を送り込む装置（５）のノズルを差し込み温風を送る。  送り込まれた温風が保温材（７）の気体の通り道に相当する空洞部（１）を通り解放末端より放出される。  気体の通り道に相当する空洞部（１）に沿って配管内部の凍結部分が解氷され通り道が出来ることにより解氷を促す。  解氷を確認後、防護キャップ（４）をはめ込む。保温をはずすことなく解氷が出来る。
【実施例】
【０００７】  以下、本考案の実施例について説明する。
図１において、保温材（７）に気体の通り道に相当する空洞部（１）をもうける。  気体の通り道に相当する空洞部（１）に通じる温風送り込み口（２）をもうける。  温風送り込み口（２）を保護するため差し込みガイド（３）をもうけ温風を送り込む装置（５）のノズルを差し込むためのガイドとする。  防護キャップ（４）にて送り込み口に栓をして温風送り込み口を保護する。  本考案は以上のような構造で、これを使用する場合、保温材（７）に気体の通り道に相当する空洞部（１）をもうけた保温材（７）により配管（ａ）の保温を施しておく。  防護キャップ（４）をはずし、温風を送り込む装置（５）のノズルを差し込み温風を送る。  送り込まれた温風が保温材（７）の気体の通り道に相当する空洞部（１）を通り解放末端より放出される。  気体の通り道に相当する空洞部（１）沿って配管内部の凍結部分が解氷され通り道が出来ることにより解氷を促す。  解氷を確認後、防護キャップ（４）をはめ込む。  保温をはずすことなく解氷が出来る。
【図面の簡単な説明】
【０００８】
【図１】  本考案の断面図
【図２】  本考案の分解断面図
【符号の説明】
【０００９】  ａ  配管
ｂ  建物内壁
ｃ  建物外壁
ｄ  切り込み砕石
ｅ  水栓
ｆ  凍結防止用電熱ヒーター
１  気体の通り道に相当する空洞部
２  温風送り込み口
３  差し込みガイド
４  保護キャップ
５  温風を送り込む装置
【手続補正書】
【提出日】平成18年10月14日(2006.10.14)
【手続補正１】
【補正対象書類名】実用新案登録請求の範囲
【補正対象項目名】全文
【補正方法】変更
【補正の内容】
【実用新案登録請求の範囲】
【請求項１】
気体の通り道に相当する空洞部（１）をもうけた保温材（７）と、気体の通り道に相当する空洞部（１）に通じる温風送り込み口（２）をもうけ、温風送り込み口（２）を保護するための差し込みガイド（３）と、差し込みガイド（３）に栓をするための保護キャップ（４）で構成された温風解氷配管保温材。
【手続補正２】
【補正対象書類名】明細書
【補正対象項目名】全文
【補正方法】変更
【補正の内容】
【考案の詳細な説明】
【技術分野】
【０００１】  本考案は凍結した配管内部の液体の融解を促すために、気体の通り道を設けた保温材に関するものである。
【背景技術】
【０００２】  従来、配管の保温は配管に隙間無く密着し包み込むように施工されていた。  配管内部の液体が凍結しないように凍結防止用電熱ヒーターを設けていたが、凍結してしまった場合に於いて、配管材料が金属の場合、保温材をはがし電気による導通により発熱を促し解氷をしていた。  又、樹脂管の場合電気による導通を得ないため器具を取り外し蒸気による解氷作業がなされていた。
【考案の開示】
【０００３】  現在、凍結防止用電熱ヒーターを配管にそわせ、その発熱で凍結防止をする方法が広く一般的に行われているが、経年により有効な発熱が得られなかったり故障したり電源を入れ忘れて凍結する事例が特に多い。  鋼管や銅管など金属管であれば電気により両端を導通させ発熱により解氷を促すが、途中絶縁がなされていると導通が無く解氷ができない事と、解氷作業による加熱により火災に至る事例が数多く報告され、高度な技術や熟練が必要となる。  又、直接金属管に電気を導通しなければならないため保温をはがし解氷確認後再度保温を施工しなければならなかった。  樹脂管による配管では、凍結防止用電熱ヒーターによる凍結防止は不可欠であるが、凍結してしまった配管の解氷には器具をはずして配管内を蒸気による解氷をしながら蒸気ノズルを差し込み進むことで解氷をするが、分岐や曲がりなどで差し込み進めず解氷できない。  建物内の壁内や天井裏など隠ぺい部分の解氷は特に取り壊しや復旧施工が必要となり費用負担も高額なものとなる傾向が大きい。  凍結防止用電熱ヒーターによる凍結防止を行わない配管の場合もあり、長距離にわたる屋外配管などは水抜きの設備を設けても配管内のいずれかに凍結をきたす場合が多く解氷ができずに気候が温暖になるまで使用が出来ない設備が多い。  又、保温外装にステンレスや鉄板等金属により保護化粧を施すことが多く、建物の鉄骨や鉄板に触れていると、電気による導通を配管に有効に伝えることが出来ず、解氷が出来ないことが多い。  屋外においての解氷は、保温をはずして温水をかけることもあるが解氷後保温を施工し直さなければならないし、保温材の上から温水をかけた場合保温材により熱が配管に伝わりにくいばかりでなく付着水の氷結にもつながり保温材内部に水分が進入すると保温効果を著しく失うこととなる。屋内に於いては温水をかけることは困難であることや、建物の床下や壁中、天井裏を暖めても配管に施されている保温材により、有効に管材に熱が伝わらないため長い時間を要する。  解氷をするには、保温の再施工や建物の壁、床、天井の復旧など数々の問題点を有していた。
本考案は、従来の技術の有するこれらの問題点を解決するために考案されたものである。
【課題を解決するための手段】
【０００４】保温材（７）に気体の通り道に相当する空洞部（１）をもうける。
気体の通り道に相当する空洞部（１）に通じる温風送り込み口（２）をもうけ、差し込みガイド（３）及び防護キャップ（４）にて送り込み口を保護する。
以上の構成からなる温風解氷配管保温材。
温風を送り込む装置（５）にて気体の通り道に相当する空洞部（１）に温風を送り込み配管に熱を伝え解氷を促す。
【考案の効果】
【０００５】  本考案は、上述のとおり構成されているので、設備や建築物の機能を損なわないまま凍結配管の解氷が容易に行うことが出来、軽くて作業性に富み、単体での使用に適しているために１人での作業が容易であり省力化が期待できる。また、作業が単純であるため難易度が低く、各家庭や各施設での解氷作業を各個人が試みることも出来る。  電流による加熱、火気や蒸気や熱水などを使用しないのでやけどの心配もなく作業を安全かつ正確に行うことができる。
【考案を実施するための最良の形態】
【０００６】  保温材（７）の温風送り込み口（２）の防護キャップ（４）をはずし、温風を送り込む装置（５）のノズルを差し込み温風を送る。  送り込まれた温風が保温材（７）の気体の通り道に相当する空洞部（１）を通り解放末端より放出される。  気体の通り道に相当する空洞部（１）に沿って配管内部の凍結部分が解氷され通り道が出来ることにより解氷を促す。  解氷を確認後、防護キャップ（４）をはめ込む。保温をはずすことなく解氷が出来る。
【実施例】
【０００７】  以下、本考案の実施例について説明する。
図１において、保温材（７）に気体の通り道に相当する空洞部（１）をもうける。  気体の通り道に相当する空洞部（１）に通じる温風送り込み口（２）をもうける。  温風送り込み口（２）を保護するため差し込みガイド（３）をもうけ温風を送り込む装置（５）のノズルを差し込むためのガイドとする。  防護キャップ（４）にて送り込み口に栓をして温風送り込み口を保護する。  本考案は以上のような構造で、これを使用する場合、保温材（７）に気体の通り道に相当する空洞部（１）をもうけた保温材（７）により配管（ａ）の保温を施しておく。  防護キャップ（４）をはずし、温風を送り込む装置（５）のノズルを差し込み温風を送る。  送り込まれた温風が保温材（７）の気体の通り道に相当する空洞部（１）を通り解放末端より放出される。  気体の通り道に相当する空洞部（１）沿って配管内部の凍結部分が解氷され通り道が出来ることにより解氷を促す。  解氷を確認後、防護キャップ（４）をはめ込む。  保温をはずすことなく解氷が出来る。
【図面の簡単な説明】
【０００８】
【図１】  本考案の断面図
【図２】  本考案の分解断面図
【符号の説明】
【０００９】ａ  配管
ｂ  建物内壁
ｃ  建物外壁
ｄ  切り込み砕石
ｅ  水栓
ｆ  凍結防止用電熱ヒーター
１  気体の通り道に相当する空洞部
２  温風送り込み口
３  差し込みガイド
４  保護キャップ
５  温風を送り込む装置